(57)【要約】【課題】  本発明は、害獣が侵入するのを防ぐ電気柵システムに関する。【解決手段】  システム本体を制御する制御部１００に害獣検知センサ部２００を設け、害獣７０が電気柵２０に接触したとき、害獣検知センサ部２００の害獣接触検知手段２１０で検知し、その害獣７０の接触回数を接触カウント手段２２０でカウントする一方、接触日時記録手段２４０で接触の日時を記憶して、接触回数、接触日時を、データ表示手段２３０で表示するようにした電気柵システムにある。【選択図】  図２
2015047122.tif 000002
【特許請求の範囲】
【請求項１】
高電圧の印加された電気柵を張り巡らせて、害獣の侵入を防止する電
気柵システムにおいて、
害獣検知センサ部を設け、前記害獣検知センサ部が、前記電気柵への害獣の接触を検知する害獣接触検知手段と、前記害獣接触検知手段の検知をカウントする接触カウント手段と、前記接触カウント数を表示するデータ表示手段からなることを特徴とする電気柵システム。
【請求項２】
前記害獣検知センサ部に、害獣接触時の接触日時を記録する接触日時記録手段を設けることを特徴とする請求項１記載の電気柵システム。
【請求項３】
前記害獣検知センサ部に送信部を設ける一方、前記送信部からの信号により駆動すると共に、電気柵エリアの全部、又は一部を撮像するカメラを設置して、害獣の電気柵への接触時、前記害獣接触検知手段の検知信号により、前記カメラを駆動させて、前記電気柵エリアの全部、又は一部を撮像することを特徴とする請求項１又は２記載の電気柵システム。
【請求項４】
前記害獣検知センサ部の送信部により、前記害獣検知センサ部からの害獣の接触回数、及び／又は接触日時を、無線又は有線により、外部のコントローラに入力されることを特徴とする請求項１又は２記載の電気柵システム。
【請求項５】
前記カメラの撮像画像を、無線又は有線により、外部のコントローラに入力されることを特徴とする請求項３記載の電気柵システム。
【発明の詳細な説明】
【技術分野】
【０００１】
本発明は、猪や鹿などの害獣が侵入するのを防ぐために施設される電気柵システムに関するものである。
【背景技術】
【０００２】
近年、猪や鹿などの害獣による、農作物の被害が目立ってきている。
その理由としては、いろいろ考えられるが、動物保護の風潮が広がったこと、野生動物環境が悪化したこと、農耕放棄地の増加などにより、害獣の棲息域が人里に近付いてきていること、老齢化や人工減少で狩猟活動が停滞していることなどが挙げられる。
【０００３】
害獣による被害は、年々増加傾向にあり、その被害額は年間、二百数十億円にもなり、政府の補助金も、百数十億円と高額に膨らんできている。
この害獣被害を防止するため、現在、一般的に用いられているのが、高電圧（パルス波電圧）を印加させた裸電線を張り巡らせてなる電気柵で、耕作地エリアなどを囲い、害獣の侵入を防止する、電気柵システムである。
この電気柵システムそしては、多数提案されているが、例えば、特許文献１、２を挙げることができる。
【先行技術文献】
【特許文献】
【０００４】
【特許文献１】特開２０１２−０８５６１２号公報
【特許文献２】特開２０１２−１３５２６２号公報
【０００５】
このような従来の電気柵システムの場合、実際、害獣が耕作地エリアに侵入して、農作物を食い荒らした場合、その被害状況を見て、侵入の事実を判断している。
従って、耕作地エリアへの侵入までは至らなかったが、害獣が裸電線に触れて、撃退された場合、実際の被害がないため、撃退の有無が解らないという問題が起きる。
つまり、電気柵システム本来の機能が発揮されているか否が、詳しく確認できないという問題である。例えば、害獣の接触回数（撃退頻度）や、接触の日時、害獣の種類などが的確に把握できない。そうすると、良好なシステム管理ができないこととなる。
【発明の概要】
【発明が解決しようとする課題】
【０００６】
本発明は、このような従来の実情に鑑みてなされたもので、害獣の電気柵への接触を検知し、その接触回数や、接触日時（時間帯）、さらに、害獣の種類なども把握できるようにして、より適切な管理を可能とする電気柵システムを提供せんとするものである。
【課題を解決するための手段】
【０００７】
請求項１記載の発明は、高電圧の印加された電気柵を張り巡らせて、害獣の侵入を防止する電気柵システムにおいて、
害獣検知センサ部を設け、前記害獣検知センサ部が、前記電気柵への害獣の接触を検知する害獣接触検知手段と、前記害獣接触検知手段の検知をカウントする接触カウント手段と、前記接触カウント数を表示するデータ表示手段からなることを特徴とする電気柵システムにある。
【０００８】
請求項２記載の発明は、前記害獣検知センサ部に、害獣接触時の接触日時を記録する接触日時記録手段を設けることを特徴とする請求項１記載の電気柵システムにある。
【０００９】
請求項３記載の発明は、前記害獣検知センサ部に送信部を設ける一方、前記送信部からの信号により駆動すると共に、電気柵エリアの全部、又は一部を撮像するカメラを設置して、害獣の電気柵への接触時、前記害獣接触検知手段の検知信号により、前記カメラを駆動させて、前記電気柵エリアの全部、又は一部を撮像することを特徴とする請求項１又は２記載の電気柵システムにある。
【００１０】
請求項４記載の発明は、前記害獣検知センサ部の送信部により、前記害獣検知センサ部からの害獣の接触回数、又は／及び接触日時を、無線又は有線により、外部のコントローラに入力されることを特徴とする請求項１又は２記載の電気柵システムにある。
【００１１】
請求項５記載の発明は、前記カメラの撮像画像を、無線又は有線により、外部のコントローラに入力されることを特徴とする請求項３記載の電気柵システムにある。
【発明の効果】
【００１２】
本発明によると、害獣検知センサ部を設けてあるため、この害獣検知センサ部の害獣接触検知手段と接触カウント手段とデータ表示手段によって、害獣の電気柵（正確には裸電線、以下同じ）への接触回数を知ることができる。つまり、害獣の進出状況を把握することができる。
【００１３】
また、本発明によると、害獣検知センサ部の接触日時記録手段を設けてあるため、害獣の接触日時を知ることができる。例えば、害獣の進出は夜間が多いのか、昼間もあるのか、終日変わりないとかなどを、きめ細かく知ることができる。勿論、季節的な害獣の進出頻度も知ることができる。
【００１４】
また、本発明によると、害獣検知センサ部に送信部が設けてあるため、この送信部からの信号により、電気柵エリアの全部、又は一部を撮像するカメラを駆動させることができる。このため、カメラの撮像画像から、害獣の接触箇所、害獣の頭数、親子関係、群れの有無、害獣の種類などを知ることができる。
【００１５】
また、本発明によると、害獣検知センサ部の送信部によって、害獣の接触回数、接触日時のデータ、カメラの撮像画像を、外部のコントロ−ラ、例えば、電気柵から離れた作業場や母屋に設置したパソコン機器などに取り込むことができる。
つまり、遠隔地でのデータ管理が可能となる。パソコン機器などの場合、害獣の進出状況のデータを長期間に渡って、容易に蓄積することができる。蓄積データが得られれば、それから、いろいろな管理対策が講じられる。
例えば、害獣の進出状況の詳細な分析によって、よりタイムリーな電源管理、即ち、よりきめ細かな電源のオン・オフ管理が可能となる。
また、耕作地エリアの地形や外部の道路付け、周辺施設などと害獣の進出状況との相関関係などが解析できる。これによって、不要な電気柵部分が判明すれば、電気柵の縮小を図ることができる。さらに、進んで、そもそも、この部分には電気柵が不要であるなどの判断も可能となる。
【図面の簡単な説明】
【００１６】
【図１】本発明に係る電気柵システムの一例を示した概略説明図である。
【図２】図１の電気柵システムにおけるシステム本体の一例を示した概略ブロック図である。
【図３】図２の害獣検知センサ部におけるデータ表示手段の例（Ａ）、（Ｂ）を示した概略正面図である。
【図４】図２の害獣検知センサ部の停滞型のデータ表示手段の一例を示した概略正面図である。
【発明を実施するための形態】
【００１７】
図１は本発明に係る電気柵システムの一例を示したもので、図中、１０は農作物の農耕地エリア、２０は農耕地エリア１０の周りに張り巡らされた電気柵、３０は高電圧の印加された裸電線（柵線）である。なお、電気柵エリアは農耕地に限定されない。害獣の被害が予想される種々の施設、畜舎、神社、仏閣、庭園、観光地エリアなども含まれる。
【００１８】
本例の場合、電気柵２０の裸電線３０は、２段の配線として、支柱（ポール）４０に絶縁碍子４１を介して、支えられている。配線の段数や支柱４０の高さは特に問わない。予想される害獣の種類に対応して変えることができる。害獣の種類によって、体高が違うからである。また、配線間隔や支柱間隔も、害獣の種類に応じて変えることができる。
【００１９】
農耕地エリア１０には、作業などの際、出入りすることが必要であるため、出入口として、裸電線３０を適宜外すことのできるゲートグリップ５０が設けてある。
ゲートグリップ５０の構造は特に限定されない。例えば、握り部５１をプラスチックなどの絶縁体で形成し、この握り部５１の一端に、裸電線３０と接続させた導電性のフック（鉤部、図示省略）を設ける一方、相手方の支柱４０の裸電線３０側にも、互い着脱可能な導電性のフック（鉤部、図示省略）を設けるとよい。
そして、農耕地エリア１０に入るときには、握り部５１をもって、互いのフックを離脱させる。なお、ゲートグリップ５０の設置箇所は、一箇所に限定されない。
【００２０】
６０は電気柵システムの装置本体が納められたシステム本体（函体）で、通常農耕地エリア１０の脇に設置される。システム本体６０からは高圧線（リード線）６１が、電気柵２０の裸電線３０に結線される一方、システム体６０からのアース線（リード線）６２は、地中にアースされる。上下２段の裸電線３０間は互い接続線３１で結線させてある。
【００２１】
このシステム本体６０からは、電気柵２０の裸電線３０に対して、高電圧のパルス波電圧（例えば１万Ｖなど）が印加させてある。
従って、害獣（例えば猪）７０が、農耕地エリア１０に侵入しようとして、裸電線３０に触れると、裸電線３０、害獣７０の身体、土地（接地）の順で電流が流れる。
これによって、害獣７０は、電気ショックを受ける（人の場合、靴が絶縁体のため通電せず、感電することはない）。このときの電流値は小さいため、害獣も、感電死することはないが、高電圧のため、害獣７０に対する衝撃は極めて大きい。
この電気ショックによって、害獣７０の撃退が効果的に行われる。一度、電気ショックを受けると、教育効果により、次回の害獣侵入はある程度未然に防止される。また、仲間同士がコミニケイショウンできる害獣であれば、仲間の害獣に対しても、防止効果が期待できる。
【００２２】
図２はシステム本体６０の概略ブロック図を示したものである。
１００はシステムの駆動に必要とされる電気部品や電子素子などの装置系が組み込まれたＣＰＵ内臓の制御部で、この制御に必要なプログラムやデータなどはメモリー部１１０に格納させてある。
【００２３】
システム本体６０は、複数の電源に対応することができる。つまり、制御部１００には、電源切替部（手段）１２０を通じて、複数の電源１〜３が接続できる。
例えば、電源１は乾電池、電源２は自動車用バッテリー、電源３はソーラーパネルからなる太陽光電池である。電源はこれに限定されず、システム本体６０の設置場所まで、ＡＣ電源の接続線（延長コードや電柱配線など）で給電することもできる。小型発電機で対応することもできる。
【００２４】
電源電圧は、通常１２Ｖ程度で、裸電線３０の全延長距離によって、電源種を選べばよい。例えば、全延長距離が３Ｋｍ程度の場合は、乾電池や太陽光電池で十分対応できる。全延長距離が６〜９Ｋｍ程度と長い場合には、自動車用バッテリーの使用が好ましい。
本システム本体６０の場合、例えば、単一のアルカリ乾電池８本の使用では、１日１２時間使用する場合、５０日間ほど対応することができる。なお、電源電圧は１２Ｖに限定されず、例えば６Ｖや２４Ｖなどとすることもできる。
【００２５】
電源の消耗は、本システムの場合、重要である。このため、稼働状態（例えば、連続（終日）、夜間、昼間、切断など）が選択できる稼働切替スイッチ１３０を、システム本体６０の正面などに取り付け、制御部１００に連携させてある。
また、システム本体６０の正面などには、稼働時に点灯（点滅も可）する出力ランプ１４０、屋外の輝度（明るさ）を検知する受光センサ１５０が設けてあり、これらも、制御部１００に接続させてある。
【００２６】
稼働切替スイッチ１３０（回転式）は、害獣の進出状況に応じて、使い分ける。
例えば、害獣７０の接触が、終日に渡る場合には、スイッチ１３０を連続目盛に合わせる。接触が夜間の場合には、スイッチ１３０を夜間目盛に合わせる。接触が昼間の場合には、スイッチ１３０を昼間目盛に合わせる。季節的な稼働不要時期や緊急時には、スイッチ１３０を切断目盛に合わせる。これらの操作によって、電源消費の節約が図られる。
【００２７】
また、稼働切替スイッチ１３０の夜間稼働時や昼間稼働時、その稼働終了には、例えば、時間を決めて、手動で切り替えてもよい。
本発明の場合、受光センサ１５０が設けてあるため、このセンサの働きによって、自動的に切り替えることができる。例えば、夜間稼働時には、朝、受光センサ１５０での受光が所定の輝度値を超えたら、スイッチオフとし、夕方、所定の輝度値以下となったら、スイッチオンとする。昼間稼働時には、逆に、夕方、所定の輝度値以下となったら、スイッチオフとし、朝、所定の輝度値を超えたら、スイッチオンとして動作させる。
これらの駆動は、メモリー部１１０に格納してある受光センサ用のプログラム（受光センサ駆動手段）と制御部１００によって行われる。
この駆動によって、設置現場まで、行くことはなく、スイッチ操作の手間が省ける。また、スイッチ操作の忘れ防止の効果も得られる。
【００２８】
２００は本発明の特徴とする、害獣検知センサ部で、システム本体６０の制御部１００と連携させてある。この駆動は、メモリー部１１０に格納してある害獣検知センサ部用のプログラム（害獣検知センサ部駆動手段）と制御部１００によって行われる。
【００２９】
害獣検知センサ部２００は、少なくとも、電気柵２０への害獣の接触を検知する害獣接触検知手段２１０と、この検知をカウント（計数）する接触カウント手段２２０と、接触カウントのデータを表示するデータ表示手段２３０からなる。好ましくは、害獣接触時の接触日時を記録する接触日時記録手段２４０を設けるとよい。この手段の接触日時は、通常、接触回数（カウント数）と共に、データ表示手段２３０に表示させる。
【００３０】
害獣接触検知手段２１０は、害獣７０が電気柵２０へ接触すると、前記したように、裸電線３０、害獣７０の身体、土地（接地）の順で電流が流れるため、このときの電流の変化や電圧の変化を検知する電気回路で構成する。
この検知をカウントする接触カウント手段２２０は、検知回数を記憶するものであればよい。例えば、カウンタ部品で構成する。ソフト的なカウント記憶部として、制御部１００側のメモリー部１１０に設けることもできる。
【００３１】
データを表示するデータ表示手段２３０は、表示機能を有するものであれば、特に問わない。例えば、液晶表示器が挙げられる。害獣の接触回数のみであれば、ＬＥＤなどの７セグメント型の数字表示器でも対応することもできる。
接触日時記録手段２４０は、害獣７０の接触時の日時、詳しくは時刻を含めて、記録する手段である。具体的には、例えば、制御部１００に内臓させてあるカレンダ機能手段と時計手段の日時、時刻を参照して、害獣接触の該当日時、時刻を記録するものである。
この記録手段は、単独の記憶素子で対応してもよいが、ソフト的な日時記憶部として、制御部１００側のメモリー部１１０に設けることもできる。
【００３２】
データ表示手段２３０の例を示すと、図３（Ａ）、（Ｂ）の如くである。
図３（Ａ）は１行表示タイプの液晶表示器２３０ａである。
先頭の数字「３」は接触回数、２３１はそのタイトル名である。後の表示は１回目の接触日時、２３２はそのタイトル名である。接触回数は１回と限らないため、次の２回目以降の表示は、例えば、近傍に設けた切替ボタン（スイッチ）２３３の操作で、切り替えるようにしてある。２３４は表示をリセットするためのリセットスイッチである。
この場合、表示器が小型でよいため、コストダウンが図られる。
【００３３】
図３（Ｂ）は複数行表示タイプの液晶表示器２３０ｂである。
上段の数字「３」は接触回数、２３１はそのタイトル名である。下段の表示は複数回の接触日時、２３２はそのタイトル名である。この場合、接触回数が多いと、便利である。例えば、接触回数の表示数を１０行とした場合、これを超えるときには、近傍に設けた切替ボタン（スイッチ）２３３の操作で、切り替えるようにしてある。２３４は表示をリセットするためのリセットスイッチである。
この場合、表示器が大型でコストアップとなるが、視認性が向上する。勿論、切替操作回数の大幅な低減が図れる。
【００３４】
このような害獣検知センサ部２００があると、害獣７０が電気柵２０に触れたとき、その接触は、害獣接触検知手段２１０で検知され、直ちに接触カウント手段２２０でカウントされる。かつ、接触日時記録手段２４０があると、その接触日時も記憶され、接触回数と共に、液晶表示器２３０ａ、２３０ｂに表示される。
【００３５】
これによって、害獣７０が、耕作地エリア１０に侵入するまでは至らなくとも、単に電気柵２０に触れるだけで、そのことを知ることができる。
また、害獣検知センサ部２００があると、接触回数や接触日時が解るため、害獣７０の終日（日中）における活動状況が解る。夜間中心か、人出のない早朝や夕暮れ時かなどが解る。さらに、季節の活動状況も解る。
この結果、不要な時間帯や季節には、電源オフとすることができる。つまり、きめ細かな電気柵システムの管理が可能となる。結果として、コストダウンが図られる。
【００３６】
電気柵２０には、害獣７０だけでなく、ときに草木の成長や草木の揺れなどで、これらが電気柵２０に触れるときがある。このときも、害獣７０の場合と同様、通電して、電流の変化や電圧の変化が起こる。ただし、草木の場合、害獣の身体に比べて、抵抗値が大きいため、その変化値は小さい。
従って、好ましくは、この特性に着目して、誤動作防止手段２５０を設けるとよい。つまり、草木の接触程度では動作させない手段である。
【００３７】
この手段としては、害獣７０や草木の接触時における、電流や電圧の変化値を一時的に保存する変化値保存手段と、害獣接触時の想定される変化値（想定基準値）が保存されている基準値保存手段と、これらを比較して判定する比較判定手段とで構成するとよい。
害獣接触検知手段２１０で、検知された電流や電圧の変化値が、想定基準値に達しているか否かを、比較判定手段で判断して、想定基準値に達しているときのみに、接触カウント手段２２０などを駆動させればよい。
これによって、草木の接触時による誤動作は防止される。つまり、害獣検知センサ部２００の高い信頼性が確保される。
【００３８】
本発明の害獣検知センサ部２００を設けた場合、最近の多様な通信手段と連携させて、多彩な電気柵システムの管理態様を実現することができる。
例えば、害獣検知センサ部２００に送信部２６０、受信部２７０を設け、これらに必要な通信プログラム、応用ソフトを制御部１００のメモリー部１１０に格納させておく。
そして、これらの通信プログラム、応用ソフトと連携される、同種の通信プログラム、応用ソフトの内臓された外部機器と連携させて、種々の連携動作をさせることができる。
外部機器としては、例えば、カメラ３００、パソコン機器などのコントローラ（電子機器）４００、携帯電話５００などが挙げられる。さらに、データ表示手段２３０を携帯型の液晶表示器として連携させることもできる。
【００３９】
先ず、カメラ３００との連携について説明する。
このカメラ３００は、害獣検知センサ部２００の送信部２６０からの信号により、駆動すると共に、電気柵エリアの全部、又は一部を撮像する位置に設置しておく。
害獣７０が電気柵２０に接触すると、害獣接触検知手段２００の検知信号を、その送信部２６０により、カメラ３００に送信して、カメラ３００を駆動させ（シャッターオンにして）、電気柵エリアの全部、又は一部を撮像する。
【００４０】
カメラ３００と害獣検知センサ部２００間の連携は無線や有線を問わない。カメラ３００の画像は静止画でも、動画でもよい。また、カメラ３００の設置箇所は一箇所に限らず、複数箇所とすることもできる。
【００４１】
カメラ３００の撮像画像は、一旦内臓の付属メモリー（ＳＤやＳＤＨＣ、ＳＤＸＣカードメモリーなど）に保存される。最も簡単な画像の確認は、カメラ自体の表示器（液晶パネル）に写し出して、目視すればよい。
これによって、害獣の種類、頭数、親子関係、群れの有無、接触箇所などの多数の情報が得られる。また、耕作地エリア１０の地形（草木が少ない、隠れ場所が少ないなど）や外部の道路付けなど（人や車の通る道路が近いなど）、周辺施設（人の出入りする施設が近い）などと害獣７０の進出状況との相関関係などの解明も可能となる。
つまり、データに基づいた合理的な電気柵システムの管理が可能となる。
そして、例えば、不要な電気柵部分が解れば、電気柵自体の縮小を図ることができる。これで、コストダウンが得られる。さらに、進んで、そもそも、この部分への電気柵の施設は不要であったなどの判断も可能となる。
【００４２】
カメラ３００の撮像画像は、付属メモリーをカメラ３００から、取り出して、外部機器である、パソコン機器などのコントローラ４００に取り込むことができる。これは市販のカードリーダを用いて行えばよい。
コントローラ４００の場合、大容量のＨＤなどのメモリー装置が内臓（外付けも可）できるため、長期間に渡って、大量のデータの蓄積を行うことができる。
このコントローラ４００には、害獣接触検知手段２００の送信部２６０を通じて、接触カウント手段２２０の接触回数、接触日時記録手段２４０の接触日時も、転送して、蓄積することができる。
【００４３】
また、カメラ３００の撮像画像は、カメラ内臓の通信プログラム、応用ソフトにより、害獣検知センサ部２００の受信部２７０を通じて、制御部１００側に貯蔵させることもできる。例えば、制御部１００側にＨＤなどの外部メモリー１６０を設け、これに転送させればよい。この外部メモリー１６０は、取り外して、コントローラ４００に接続して、使用することができる。また、外部メモリー１６０を取り外さなくとも、害獣検知センサ部２００の送信部２６０を通じて、内部データを、コントローラ４００側に転送することもできる。これらの転送は、無線でも、有線でも対応することができる。
【００４４】
カメラ３００の付属メモリーや、外部メモリー１６０の取り外しは、面倒であるため、対応する通信プログラム、応用ソフトを組み込んで、インターネットの通信手段６００を通じて、コントローラ４００に転送することもできる。
この場合、電気柵２０の現場まで行く必要がなく、良好な作業性が得られる。また、コントローラ４００に害獣７０の出没状況をリアルタイムに転送することができる。
インターネットの通信手段６００と連携させた場合、所定の携帯電話５００に害獣検知センサ部２００からの害獣７０の接触回数、接触日時、撮像画像をリアルタイムに伝送することもできる。インターネット接続の場合、コストが嵩むものの（制御部１００などに、インターネットとの接続用の部品、素子などを組み込む必要があるため）、大規模農場、ゴルフ場などでは十分な実用性が得られる。
ゴルフ場の場合、夜間に害獣７０によって荒らされると、その事実を迅速に察知できないと、仮修理などの処置が遅れて、早朝スタートに間に合わない場合がある。このため、携帯電話５００への伝送には大きな利点が得られる。
【００４５】
このような観点から、図４に示すように、データ表示手段２３０を携帯型の液晶表示器２３０ｃとすることもできる。
この場合、複数行表示タイプのもので、表示器表面の上段の数字「３」は接触回数、２３１はそのタイトル名である。下段の表示は複数回の接触日時、２３２はそのタイトル名である。例えば、接触回数の表示数を１０行とした場合、これを超えるときには、近傍に設けた切替ボタン（スイッチ）２３３の操作で、切り替えるようにしてある。２３４は表示をリセットするためのリセットスイッチである。この切り替えは、スクロール型の応用ソフトを組み込んで、画面のスクロール（上下動）によって行ってもよい。
【００４６】
このデータ表示手段２３０の本体には、必要な通信プログラム、応用ソフトが組み込まれており、害獣検知センサ部２００の送信部２６０、受信部２７０を通じて、無線や有線で、直接システム本体６０の制御部１００と連携させることができる。
さらに、インターネットの通信手段６００とも連携させて、インターネットを通じて、この携帯型の液晶表示器の表示機能を発揮させることもできる。
また、このような機能を用いて、データ表示手段２３０を携帯電話５００で、代用させることもできる。携帯型の液晶表示器２３０ｃや携帯電話５００を、データ表示手段２３０として連携させた場合でも、これらとは別に、システム本体６０の正面などに液晶表示器２３０ａ、２３０ｂを設けておくことができる。
【符号の説明】
【００４７】
１０・・・耕作地エリア
２０・・・電気柵
３０・・・裸電線
４０・・・支柱
６０・・・システム本体
６１・・・高圧線
６２・・・アース線
１００・・・制御部
１１０・・・メモリー部
１２０・・・電源切替部
１３０・・・稼働切替スイッチ
１４０・・・出力ランプ
１５０・・・受光センサ
２００・・・害獣検知センサ部
２１０・・・害獣接触検知手段
２２０・・・接触カウント手段
２３０・・・データ表示手段
２４０・・・接触日時記録手段
２５０・・・誤動作防止手段
２６０・・・送信部
２７０・・・受信部
３００・・・カメラ
４００・・・外部機器
５００・・・携帯電話
６００・・・インターネットの通信手段
【図１】
2015047122.tif 000003
【図２】
2015047122.tif 000004
【図３】
2015047122.tif 000005
【図４】
2015047122.tif 000006